(57)【要約】      （修正有）【課題】外部機器が提供していたサービスを、ユーザに煩雑は操作を要求することなく、車載機において継続して提供可能とする。【解決手段】可搬性の外部機器２００（例えば、ポータブル音楽再生機）と接続可能な車載機１００（例えば、ナビゲーション装置）であって、外部機器が出力していた情報を特定するための情報を受信する受信手段と、外部機器が出力していた情報を特定するための情報を用いて、記憶装置の情報の中から、外部機器が出力していた情報を取得する情報取得手段と、情報取得手段により取得した情報を出力する出力手段と、を備えている。【選択図】図１
2008185521.tif 000002
【特許請求の範囲】
【請求項１】
可搬性の外部機器と接続可能な車載機であって、
前記外部機器から、当該外部機器が出力していた情報を特定するための情報を受信する受信手段と、
前記外部機器が出力していた情報を特定するための情報を用いて、前記外部機器が出力していた情報を取得する情報取得手段と、
前記情報取得手段により取得した情報を出力する出力手段と、
を備えることを特徴とする車載機。
【請求項２】
請求項１に記載の車載機であって、
前記受信手段は、
前記外部機器が出力していた情報のうち出力していた部分を特定するための情報を受信し、
前記出力手段は、
前記出力していた部分を特定するための情報を用いて、前記情報取得手段により取得した情報のうち、前記外部機器が出力していた部分を特定し、特定した部分から出力する
ことを特徴とする車載機。
【請求項３】
請求項１に記載の車載機であって、
前記情報取得手段は、
前記外部機器が出力していた情報を特定するための情報を用いて、前記外部機器が出力していた情報に相当する情報が、前記車載機の記憶装置に記憶されているか否か判定し、記憶されている場合は、前記記憶装置から前記外部機器が出力していた情報に相当する情報を取得する
ことを特徴とする車載機。
【請求項４】
請求項１に記載の車載機であって、
前記情報取得手段は、
前記外部機器が出力していた情報を特定するための情報を用いて、前記外部機器が出力していた情報が、前記車載機の記憶装置に記憶されているか否か判定し、記憶されている場合は、前記記憶装置から前記外部機器が出力していた情報に相当する情報を取得し、
記憶されていない場合は、予め定めた代替情報を取得する
ことを特徴とする車載機。
【請求項５】
請求項１に記載の車載機であって、
前記情報取得手段は、
前記外部機器が出力していた情報を特定するための情報を用いて、前記外部機器が出力していた情報が、前記車載機の記憶装置に記憶されているか否か判定し、記憶されている場合は、前記記憶装置から前記外部機器が出力していた情報に相当する情報を取得し、
記憶されていない場合は、前記外部機器から前記外部機器が出力していた情報を取得する
ことを特徴とする車載機。
【請求項６】
請求項１に記載の車載機であって、
前記受信手段は、
前記外部機器が出力していた情報を出力するための設定に関する情報であり、
前記出力手段は、
前記情報を出力するための設定を用いて、前記外部機器が出力していた情報を出力する
ことを特徴とする車載機。
【請求項７】
請求項１に記載の車載機であって、
前記外部機器は、
ゲーム機、放送受信機、音楽再生機、画像再生機のいずれかである
ことを特徴とする車載機。
【請求項８】
可搬性の外部機器と接続可能な車載機の情報出力方法であって、
前記外部機器から、当該外部機器が出力していた情報を特定するための情報を受信する受信ステップと、
前記外部機器が出力していた情報を特定するための情報を用いて、前記外部機器が出力していた情報を取得する情報取得ステップと、
前記情報取得ステップにより取得した情報を出力する出力ステップと、
を行うことを特徴とする車載機の情報出力方法。
【発明の詳細な説明】
【技術分野】
【０００１】
本発明は、車載用ナビゲーション装置などの車載機に関する。
【背景技術】
【０００２】
音楽の再生やテレビ放送の受像などのサービスを提供可能なポータブル機器がある。また、これらのポータブル機器が提供するサービスと同等のサービスを提供可能な車載機がある。
【０００３】
【特許文献１】特開２００４−１３２７７１号公報
【発明の開示】
【発明が解決しようとする課題】
【０００４】
従来、ポータブル機器が提供するサービスを、引き続き車内の車載機から受けようとすると、ユーザは車載機に対して、煩雑な操作をしなければならなかった。例えば、ユーザが車両に乗り込む前に、ポータブル音楽再生機で、ある曲を聴いていたとする。ユーザが車内の車載機で、その曲を引き続き聴こうとすると、車載機に対してその曲を選択し再生するように要求しなければならない。このような操作は、面倒である。
【０００５】
本発明は、上記課題を解決すべくなされたものであり、外部機器が提供していたサービスを、ユーザに煩雑は操作を要求することなく、車載機において継続して提供可能とすることにある。
【課題を解決するための手段】
【０００６】
上記課題を解決すべく、本発明では、車載機（例えば、車載用ナビゲーション装置）は、外部機器（例えば、ポータブル音楽再生機）が提供していたサービスに関する情報を取得し、取得した情報に基づいて、同等のサービスを引き続き提供する。
【０００７】
例えば、本発明は、可搬性の外部機器と接続可能な車載機であって、前記外部機器から、当該外部機器が出力していた情報を特定するための情報を受信する受信手段と、前記外部機器が出力していた情報を特定するための情報を用いて、前記外部機器が出力していた情報を取得する情報取得手段と、前記情報取得手段により取得した情報を出力する出力手段と、を備えている。
【０００８】
前記受信手段は、前記外部機器が出力していた情報のうち出力していた部分を特定するための情報を受信してもよい。前記出力手段は、前記出力していた部分を特定するための情報を用いて、前記情報取得手段により取得した情報のうち、前記外部機器が出力していた部分を特定し、特定した部分から出力するようにしてもよい。
【０００９】
前記情報取得手段は、前記外部機器が出力していた情報を特定するための情報を用いて、前記外部機器が出力していた情報に相当する情報が、前記車載機の記憶装置に記憶されているか否か判定してもよい。そして、記憶されている場合は、前記記憶装置から前記外部機器が出力していた情報に相当する情報を取得するようにしてもよい。また、記憶されていない場合は、予め定めた代替情報を取得するようにしてもよい。また、記憶されていない場合は、前記外部機器から前記外部機器が出力していた情報を取得するようにしてもよい。
【００１０】
また、前記受信手段は、前記外部機器が出力していた情報を出力するための設定（例えば、テレビのチャンネル）に関する情報であってもよい。そして、前記出力手段は、前記情報を出力するための設定を用いて、前記外部機器が出力していた情報を出力するようにしてもよい。
【００１１】
前記記外部機器は、ゲーム機、放送受信機、音楽再生機、画像再生機等であってもよい。
【発明を実施するための最良の形態】
【００１２】
以下に、本発明の一実施形態について、図面を参照して説明する。
【００１３】
図１は、本発明の一実施形態が適用されたサービス提供システムの概略構成図である。本実施形態のサービス提供システムは、車載用ナビゲーション装置などの車載機１００と、可搬性の外部機器２００とからなる。
【００１４】
車載機１００は、ＣＰＵなどの演算装置、ＲＡＭ、ＲＯＭ、ＨＤＤなどの記憶装置、ハードスイッチ、タッチパネルなどの入力装置、スピーカなどの音声出力装置、液晶ディスプレイなどの表示装置、外部と通信するための通信インターフェース、これら結ぶバス、などからなるコンピュータシステムにより構成される。そして、車載機１００は、その機能構成として、主制御部１０１と、入力処理部１０２、出力処理部１０３と、コンテンツ記憶部１０４と、通信インターフェース１０５とを備えている。
【００１５】
なお、車載機１００は、車載用ナビゲーション装置として機能すべく、その基本動作のために、車輪速センサと、ジャイロセンサと、ＧＰＳ(Global Positioning System)受信装置などを備えている。
【００１６】
主制御部１０１は、様々な処理を行う中心的ユニットである。例えば、各種センサやＧＰＳ受信装置から出力される情報を基にして現在位置を検出する。また、入力処理部１０２を介して受け付けたユーザの指示を解析して、指示に対応した所定の処理を行う。また、コンテンツ記憶部１０４に記憶されているコンテンツ情報３００に基づいて、出力処理部１０３を介して、所定のコンテンツをディスプレイや音声出力装置に出力する。また、通信インターフェース１０５を介して、外部機器２００と接続し、情報の送信・受信を行う。
【００１７】
入力処理部１０２は、ハードスイッチ、タッチパネルなどにより、ユーザからの指示を受け付け、主制御部１０１に送る処理を行う。
【００１８】
出力処理部１０３は、主制御部１０１の指示に従って、音声や画像を音声出力装置（スピーカ）や表示装置に出力する処理を行う。
【００１９】
コンテンツ記憶部１０４は、コンテンツ情報３００を記憶する。コンテンツ情報３００は、表示装置や音声出力装置により再生するコンテンツ（例えば、楽曲、画像、動画など）を含む。コンテンツ情報３００には、コンテンツを識別するためのコンテンツＩＤ（例えば、コンテンツが楽曲の場合、曲ＩＤ）３０１に対応して、コンテンツデータ（例えば、曲データ）３０２が格納されている。
【００２０】
通信インターフェース１０５は、主制御部１０１の指示に従って、外部機器２００との情報の送信・受信を仲介する。
【００２１】
外部機器２００は、本実施形態では、音声や画像の出力が可能なポータブル（可搬性）機器である。例えば、ＡＶプレイヤー、ＣＤプレイヤー、ＭＰ３プレイヤー、ＤＶＤプレイヤー、携帯テレビなどであってもよい。
【００２２】
外部機器２００は、ＣＰＵ（Central Processing Unit）などの演算装置、ＲＡＭ、ＲＯＭ、ＨＤＤなどの記憶装置、ハードスイッチ、タッチパネルなどの入力装置、スピーカなどの音声出力装置、液晶ディスプレイなどの表示装置、外部と通信するための通信インターフェース、これら結ぶバス、などからなるコンピュータシステムにより構成される。そして、外部機器２００は、その機能構成として、主制御部２０１と、入力処理部２０２と、出力処理部２０３と、コンテンツ記憶部２０４と、通信インターフェース２０５を備えている。
【００２３】
主制御部２０１は、様々な処理を行う中心的ユニットである。例えば、入力処理部２０２を介して受け付けたユーザの指示を解析して、指示に対応した所定の処理を行う。また、コンテンツ記憶部２０４に記憶されているコンテンツを呼び出して、出力処理部２０３を介して、ディスプレイや音声出力装置に出力する。また、通信インターフェース２０５を介して、車載用ナビゲーション装置１００と接続し、情報の送信・受信を行う。
【００２４】
入力処理部２０２は、ハードスイッチ、タッチパネルなどからなり、ユーザからの指示を受け付け、主制御部２０１に送る処理を行う。
【００２５】
出力処理部２０３は、主制御部２０１の指示に従って、音声や画像を音声出力装置（スピーカ）や表示装置に出力する処理を行う。
【００２６】
コンテンツ記憶部２０４は、表示装置や音声出力装置により再生するコンテンツ（例えば、楽曲、画像、動画など）を記憶する。
【００２７】
コンテンツ記憶部２０４は、コンテンツ情報３１０を記憶する。コンテンツ情報３１０は、表示装置や音声出力装置により再生するコンテンツ（例えば、楽曲、画像、動画など）を含む。コンテンツ情報３１０には、コンテンツを識別するためのコンテンツＩＤ（例えば、コンテンツが楽曲の場合、曲ＩＤ）３１１に対応して、コンテンツデータ（例えば、曲データ）３１２が格納されている。
【００２８】
通信インターフェース２０５は、主制御部２０１の指示に従って、車載機１００との情報の送・受信を仲介する。
【００２９】
なお、車載機１００及び外部機器２００の機能構成は、ＣＰＵが所定のプログラムを実行することにより達成される。コンテンツ記憶部１０４、２０４には、ＲＯＭ、ＨＤＤなどが利用される。
【００３０】
また、車載機１００と外部機器２００との接続は、有線であっても無線であってもよい。通信インターフェース１０５、２０５は、通信の方法に応じた機能を備えている。
【００３１】
＜動作の説明＞
次に、図１で示したサービス提供システムの特徴的な動作について説明する。
【００３２】
図２は、サービス提供システムの動作のフロー図である。
【００３３】
車載用ナビゲーション装置１００の主制御部１０１は、電源がＯＮされると、通信インターフェース１０５を介して、外部機器２００との接続を調べる（Ｓ１１）。なお、既に、電源がＯＮされている場合、主制御部１０１は、定期的に、外部機器２００との接続を調べる。
【００３４】
主制御部１０１は、外部機器２００との接続を検知した場合、外部機器２００に対して、出力中のコンテンツに関する問い合わせを行う（Ｓ１２）。具体的には、主制御部１０１は、外部機器２００に対して、外部機器２００の出力中のコンテンツ及び出力している部分を特定するための情報を車載機１００に送信するように要求する。
【００３５】
これに答えて、外部機器２００の主制御部２０１は、現在出力中のコンテンツを特定する情報と、出力している部分を特定する情報を抽出し、通信インターフェース２０５を介して、車載機１００に送信する（Ｓ１３）。
【００３６】
具体的に説明する。車載機１００及び外部機器２００は、音楽や画像などからなるコンテンツを出力することができる。そのため、それぞれのコンテンツ記憶部１０４、２０４には、コンテンツ情報３００、３１０が記憶されている。
【００３７】
外部機器２００の入力処理部２０２は、ユーザから入力装置を介して、出力するコンテンツ（例えば、再生する楽曲）の指定を受け付ける。主制御部２０１は、入力処理部２０２が受け付けたコンテンツを出力するように、出力処理部２０３に指示する。出力処理部２０３は、指示されたコンテンツを、コンテンツ記憶部２０４のコンテンツ情報３１０中から検索し、出力（再生）する。
【００３８】
コンテンツの出力中に車載機１００から問い合わせがあると、外部機器２００の主制御部２０１は、現在出力しているコンテンツのコンテンツＩＤ３１１と、出力している部分を特定する情報（例えば、曲の開始からの時間）を、通信インターフェース２０５を介して、車載用ナビゲーション装置１００に送信する。
【００３９】
車載機１００の主制御部１０１は、外部機器２００から、コンテンツを特定する情報（コンテンツＩＤ３１１）と、出力している部分を特定する情報を受信する。そして、主制御部１０１は、コンテンツ情報３００に、外部機器２００が出力中のコンテンツに対応するコンテンツが記憶されているか否か調べる（Ｓ１４）。例えば、外部機器２００から、出力中のコンテンツを特定する情報として、曲ＩＤを受信した場合、主制御部１０１は、コンテンツ情報３００の中に、受信した曲ＩＤに対応するコンテンツデータ３０２が格納されているか否か調べる。
【００４０】
対応するコンテンツがコンテンツ情報３００に格納されている場合（Ｓ１４でＹ）、主制御部１０１は、そのコンテンツを、外部機器２００が出力していた部分の続きから出力するように、出力処理部１０３に指示する。
【００４１】
出力処理部１０３は、コンテンツ情報３００の中から、外部機器２００が出力していたコンテンツに対応するコンテンツデータ３０２を取得する。そして、外部機器２００が出力していた部分を特定する情報（例えば、曲の開始からの時間）を用いて、外部機器２００が出力していた部分の続きから出力する。例えば、出力中の部分を特定する情報として、曲の開始からの時間を受信した場合、出力処理部２０３は、曲データのうち、曲の開始からの時間に対応する部分から再生する（Ｓ１５）。
【００４２】
一方、外部機器２００が出力中のコンテンツがコンテンツ情報３００に含まれていない場合（Ｓ１４でＮ）、出力処理部１０４は、コンテンツを出力することなく、処理を終了する。
【００４３】
以上、本発明の一実施形態について説明した。
【００４４】
本実施形態によれば、ポータブル機器が提供していたサービスを、引き続き車載機で提供することができる。すなわち、ユーザに特段の操作を要求することなく、ユーザがこれまで聴いていた曲を引き続き車内で流すことができる。ユーザにとっては、ポータブル機器のイヤホンで聴いていた曲が、車内に乗り込むと、車載機のスピーカから聴こえるようになる。
【００４５】
＜変形例＞
本発明は、上記実施形態に制限されない。
【００４６】
例えば、サービスの連携（外部機器２００が提供しているサービスを車載機１００で継続して提供すること）をするか否かの設定をユーザから受け付けてもよい。例えば、主制御部１０１は、入力処理部１０２を介して、サービスの連携をするか否かの選択を受け付ける。そして、サービスの連携をすると選択された場合のみ、主制御部１０１は、外部機器２００への問い合わせ（図２のＳ１２）を行うようにする。
【００４７】
または、外部機器２００の主制御部２０１は、車載機１００との接続を検知した場合に、入力処理部２０２を介して、サービスの連携をするか否かの選択を受け付ける。そして、主制御部２０１は、サービスの連携をすると選択された場合のみ、出力中のコンテンツに関する情報を車載機１００に送信する処理（図２のＳ１３）を行うようにする。
【００４８】
また、車両の状態によって、サービスの連携をしないようにしてもよい。例えば、車輪速センサやジャイロから車両が走行中と判定できる場合、車載機１００の主制御部１０１は、サービスの連携を行わない。
【００４９】
また、例えば、図３のフロー図で示すように、車載機１００が外部機器２００の出力するコンテンツを記憶していない場合（Ｓ１４でＮ）、代替コンテンツを出力するようにしてもよい（Ｓ１６）。
【００５０】
かかる場合、車載機１００のコンテンツ記憶部１０４は、代替コンテンツ（例えば、ユーザが予め指定した曲）を記憶している。主制御部１０１は、外部機器２００が出力中のコンテンツに対応するコンテンツがコンテンツ情報３００に含まれていないと判定した場合（Ｓ１４でＮ）、出力処理部１０３に、代替コンテンツを出力するように指示する。出力処理部１０３は、コンテンツ記憶部１０４に記憶されている代替コンテンツを音声出力装置や表示装置に出力する。
【００５１】
また、図４のフロー図に示すように、車載機１００が外部機器２００の出力するコンテンツを記憶していない場合（Ｓ１４でＮ）、外部機器２００が出力中のコンテンツを、外部機器２００から取得するようにしてもよい（Ｓ１７〜Ｓ１９）。具体的には、出主制御部１０１は、通信インターフェース１０５を介して、外部機器２００に対して、出力中のコンテンツを送信するように要求する。外部機器２００の主制御部２０１は、これを受けて、出力中のコンテンツのコンテンツデータ３０２を、コンテンツ情報３１０から取得し、通信インターフェース２０５を介して、車載機１００に送信する。車載機１００の出力処理部１０３は、外部機器２００から受信したコンテンツデータ３０２を用いて、コンテンツを出力する（Ｓ１９）。
【００５２】
なお、出力処理部１０３は、外部機器２００からコンテンツを受信する前に、「コンテンツをダウンロードします」などと、コンテンツを外部機器２００から受信することを知らせるメッセージを出力してもよい。そして、ユーザから入力装置を介してダウンロード要求を受け付けた場合にのみ、外部機器２００にコンテンツ受信要求を送るようにしてもよい。
【００５３】
また、外部機器２００で出力可能なコンテンツが、そのまま車載機１００で出力できるとは限らない。かかる場合、車載機１００の出力処理部１０３は、外部機器２００から取得したコンテンツデータ３０２を、車載機１００で出力可能なデータに変換した後、ディスプレイや音声出力装置に出力する。
【００５４】
また、車載機１００は、外部機器２００が出力中のコンテンツの全てではなく一部を出力するようにしてもよい。例えば、地図等を表示中の車載機１００に、音楽と画像を含むコンテンツを再生中の外部機器１００が接続された場合に、出力処理部１０３は、地図表示をそのままで、音楽のみを外部機器２００の再生中のコンテンツにする。
【００５５】
また、出力処理部１０３は、外部機器２００からコンテンツデータ３０２を取得する場合、コンテンツデータ３０２の全てではなく、必要なデータのみ取得するようにしてもよい。例えば、出力処理部１０３は、外部機器２００に対して、出力中のコンテンツデータのうち、必要なデータの種類（例えば、音楽のみ）を伝える。外部機器２００の主制御部２０１は、出力中のコンテンツデータ３０２のうち、音楽に関するデータのみを、車載機１００に送信する。こうすれば、送信するデータの量を軽減できる。
【００５６】
また、車載機１００の主制御装置１０１は、外部機器２００からではなく、通信ネットワークなどを介して、他のサーバ装置から、外部機器２００が再生中のコンテンツと同じコンテンツを受信するようにしてもよい。
【００５７】
また、車載機１００は、コンテンツのソース（車載機１００の記憶装置、外部機器２００の記憶装置、ネットワーク上のサーバ装置など）を切り替える機能を備えていてもよい。例えば、車載機１００の入力処理部１０２は、ユーザから、コンテンツのソースの指定を受け付ける。出力処理部１０３は、ユーザにより指定されたソースにアクセスして、コンテンツを取得する。
【００５８】
また、車載機１００の主制御部１０１は、外部機器２００が出力している情報を出力するために必要な設定を、外部機器２００から受信するようにしてもよい。例えば、車載機１００と外部機器２００がともにテレビ放送を受信可能な場合、車載機１００の主制御部１０１は、外部機器２００に対して、外部機器２００が選局しているチャンネルを教えるように要求する。そして、車載機１００の出力処理部１０３は、外部機器２００から教えられたチャンネルに選局し、テレビ放送を受信し、表示する。
【００５９】
また、車載機１００の主制御部１０１は、外部機器２００から、外部機器２００が出力している情報の音量、音質、画質などの設定値を受信して、受信した設定値を用いて、コンテンツを出力するようにしてもよい。こうすれば、コンテンツの同一性のみならず、出力のされ方の同一性も確保できる。
【００６０】
また、外部機器２００がルートガイド機能を備えている場合に、車載機１００で継続してルートガイドを行うようにすることもできる。例えば、外部機器２００が、地図データを記憶し、設定された目的地までのルートを探索し、ルートガイドを行う機能を備えているとする。そして、外部機器２００の主制御部２０１が、ルートガイド中に、車載機１００から、出力中のコンテンツに関する情報を送信するように要求されたとする。主制御部２０１は、表示している地図を特定する情報（例えば、地図メッシュＩＤ）、探索したルート、ルートガイドのための情報を、車載機１００に送信する。車載機１００の出力処理部１０３は、記憶装置に記憶してある地図データの中から、外部機器２００から受信した情報で特定される領域の地図を検索し、デイスプレイに表示する。また、外部機器２００から受信したルート、ルートガイドのための情報を、地図上に表示する。
【００６１】
また、外部機器２００がゲーム機である場合、コンテンツ記憶部２０４のコンテンツデータ３１２には、ゲームを実行するためのプログラムが含まれている。かかる場合、外部機器２００の主制御部２０１は、外部機器２００で実行中のゲームが、車載機１００で引き続きプレイできるように、必要な情報を車載機１００に送信する。具体的には、実行中のゲームについて、そのゲームを特定する情報（コンテンツＩＤ３１１）と、ゲームの現在の展開を再現するための設定値を、車載機１００に送信する。車載機１００の出力処理部１０３は、外部機器２００から受信したゲームを特定する情報（コンテンツＩＤ３１１）をキーとして、コンテンツ情報３００の中から、外部機器２００の実行中のゲームのコンテンツ（プログラム）３０２を取得し、実行する。このとき、外部機器２００から受信した、ゲームの現在の展開を再現するための設定値を用いて、外部機器２００が実行中のゲームの続きから実行するようにする。こうすれば、ユーザは、外部機器２００で楽しんでいたゲームを、車載機１００で引き続き楽しむことができる。
【００６２】
また、車載機は、車載用ナビゲーション装置に限らず、オーディオ機器であってもよい。
【００６３】
また、上記の説明において、車載機の動作と外部機器の動作を逆にすれば、車載機で提供していたサービスを、外部機器が引き続き提供するようにすることもできる。
【００６４】
また、車載機に限らず、複数の情報出力装置の間でシームレスなサービスの連携を行うこともできる。
【図面の簡単な説明】
【００６５】
【図１】図１は、本発明の一実施形態が適用されたサービス提供システムの概略構成図である。
【図２】図２は、動作のフロー図である。
【図３】図３は、コンテンツ情報の構成を示す図である。
【図４】図４は、動作のフロー図である。
【符号の説明】
【００６６】
１００車載機
１０１主制御部
１０２入力処理部
１０３出力処理部
１０４コンテンツ記憶部
１０５通信インターフェース
２００外部機器
２０１主制御部
２０２入力処理部
２０３出力処理部
２０４コンテンツ記憶部
２０５通信インターフェース
【図１】
2008185521.tif 000003
【図２】
2008185521.tif 000004
【図３】
2008185521.tif 000005
【図４】
2008185521.tif 000006